(57)【要約】【課題】ガタ寄せ作業に作業者個々の差が殆ど生じないようにし、カメラ個体毎の段差を均一に無くして、光軸に対する平行度を常に安定して確保すること。【解決手段】前側ユニット１の当接面１Ｄと、後側ユニット２の当接面２Ｄを当接して、ビス６により両当接面１Ｄ，２Ｄを締結する。この時、両ユニット１，２の当接面１Ｄ，２Ｄは、それぞれ、光軸方向に直交する方向（図示例では、上下方向）に対して傾斜した斜面に形成してあることから、作業者は、両ユニット１，２の当接面１Ｄ，２Ｄを相互に押し付けると、両ユニット１，２は、光軸方向に直交する方向（図示例では、上下方向）に対して相対的に自然に移動してガタ寄せすることができる。【選択図】　図３
2004109479.tif 000002
【特許請求の範囲】
【請求項１】
カメラボディを、該カメラボディに設定される光軸の方向に沿って前側ユニットと後側ユニットとに分割して構成し、該前側ユニットと後側ユニットとが対向する面に設けられた当接面どうしを当接させて組み立てるカメラボディにおいて、
前記当接面のそれぞれを、前記光軸方向に直交する方向に対して傾斜した斜面とし、前記前側及び後側ユニットを相対的に移動可能としたことを特徴とするカメラボディ。
【請求項２】
前記前側ユニットと後側ユニットとは螺合手段によって締結され、該螺合手段の締結力により前記前側ユニットと後側ユニットとを前記光軸に直交する方向に相対的に付勢することを特徴とする請求項１に記載のカメラボディ。
【請求項３】
前記前側ユニットと後側ユニットの側面に連結部を配置し、該連結部を螺合手段によって前記前側ユニットと後側ユニットの少なくとも一方に締結することにより両ユニットを連結することを特徴とする請求項１または２に記載のカメラボディ。
【請求項４】
前記当接面の傾斜角度は、前記光軸方向に直交する方向に対して５度以上であることを特徴とする請求項１乃至３のいずれか１項に記載のカメラボディ。
【請求項５】
カメラボディを、該カメラボディに設定される光軸方向に沿って前側ユニットと後側ユニットとに分割して構成し、該前側ユニットと後側ユニットとが対向する面に設けられた当接面どうしを当接して該当接面において螺合手段によって締結するとともに、前記前側ユニットと後側ユニットの側面に両ユニットを連結する連結部を配置し、該連結部を前記前側ユニットと後側ユニットの少なくとも一方に螺合手段により締結するカメラボディの組み立て方法において、
前記当接面のそれぞれは、前記螺合手段による締結により、前記光軸方向に直交する方向に前記前側及び後側ユニットを互いに付勢可能な斜面とし、
前記前側ユニットと後側ユニットの一方に前記連結部を固定し、
前記前側ユニットと後側ユニットを前記当接面で当接させて前記螺合手段で締結することによって前記連結部に対して前記前側ユニットと後側ユニットの他方を当接させ、
前記前側ユニットと後側ユニットの他方に対して前記螺合手段により前記連結部を締結することを特徴とするカメラボディの組み立て方法。
【発明の詳細な説明】
【０００１】
【発明の属する技術分野】
本発明は、カメラボディを前側ユニットと後側ユニットとに分割して構成し、両ユニットを組み立てるカメラボディ及びその組み立て方法に関する。
【０００２】
【従来の技術】
特許文献１に記載のように、カメラボディは、アルミニウム等の軽合金材料から形成されたメタルブロックと前板メタルユニットとを備えており、メタルブロックは、上下壁と左右の側壁によって箱状に形成され、これらの側壁は、前方に伸長して、その前端には前板ユニット取付面が形成されている。前板メタルユニットは、種々の交換レンズを取付可能な取付座板マウントをその前面に有し、ねじ挿入孔に挿入されるねじによって、メタルブロックの上記前板ユニット取付面に取付けられている。
【０００３】
また、特許文献２に記載のように、カメラボディ内に、アルミ等からなるメタルブロックがインサート成形されており、このメタルブロックは、アパーチャ部及び背面にフィルム案内用レール面を備えた主部と、底壁と、左右の側壁とから成っている。メタルブロックには、前板ユニットを取付けるための４個の取付部が設けられている。この前板ユニットは、撮影レンズを取付けるための台座マウントを備えている。この前板ユニットは、４個の取付部を備え、これらの４個の取付部は、メタルブロックの４個の取付部にそれぞれ対応してネジで結合されることにより、前板ユニットとメタルブロックとで所謂フランジバック（フィルム案内用レール面から撮影レンズの取付台座としてのマウント面までの距離）の精度を保証している。
【０００４】
カメラボディは、例えば、図４に示すように、撮影レンズ装着のためのマウント、シャッター、及び絞り制御装置等を備えた前側ユニットａと、撮影用フィルムを収納するパトローネ室、及びフィルム巻上げ装置等を備えた後側ユニットｂとに分割して構成してある。
【０００５】
これら両ユニットａ，ｂを連結する際には、前側ユニットａの背面側の当接面ｃと、後側ユニットｂの前面側の当接面ｄを相互に当接してビスにより締結し、その後、前側ユニットａの底面側の当接面ｅと、後側ユニットｂの三脚座の当接面ｆを相互に当接してビスにより締結している。
【０００６】
ところで、前側ユニットａのマウントと、後側ユニットｂとの光軸に対する平行度、即ち、マウント面とフィルム面の平行度が非常に重要であり、従来、例えば、平行度を確保するため、マウント面を基準に、後側ユニットｂのフィルムレール面にフライス加工等の機械加工を施していたが、最近では、両ユニットａ，ｂとも、夫々、合成樹脂成形により形成してある上、コスト低減の観点から、機械加工を施すことなく、合成樹脂成形したままの状態で、平行度を確保する傾向にある。
【０００７】
このようなことから、前側ユニットａと、後側ユニットｂは、厳密な寸法管理を行って、平行度を確保するようにしている。
【０００８】
【特許文献１】
特開昭５３−３９１２２号公報（第９頁、第１−５行、第１及び第２図）
【特許文献２】
特開昭５５−７３０３９号公報（第７頁、第７−１２行、第１及び第２図）
【０００９】
【発明が解決しようとする課題】
しかし、前側ユニットａの背面側の当接面ｃと、後側ユニットｂの前面側の当接面ｄを夫々ビスにより締結した際、図４に示すように、数十μｍ程度の段差δが生じることがある。
【００１０】
後側ユニットｂの下部にはカメラボディに三脚を取り付けるための三脚座がユニットの強度確保の目的で配設されているため、この段差δを残存したまま、前側ユニットａの底面側の当接面ｅと、後側ユニットｂの三脚座の当接面ｆを締結してしまうと、前側ユニットａが前方に若干傾斜して、光軸も前方に若干傾斜したようになり、平行度を確保することができない。
【００１１】
従って、図４又は図５に示すように、作業者は、前側ユニットａに後側ユニットｂをビスｇ（図５）により締結する際、前側ユニットａを後側ユニットｂに対して下方向にガタ寄せし、段差δを解消している。
【００１２】
しかしながら、前側ユニットａの背面側の当接面ｃと、後側ユニットｂの前面側の当接面ｄは、夫々、光軸に直交する方向に形成してある。
【００１３】
そのため、上述したガタ寄せ作業時、作業者個々の差が生じ易く、ガタ寄せ量が一定にならないことが多々ある。その結果、カメラ個体毎に、段差δにバラツキが生じ、平行度を常に安定して確保することが困難である。
【００１４】
本発明は、上述したような事情に鑑みてなされたものであって、ガタ寄せ作業に作業者個々の差が殆ど生じないようにし、カメラ個体毎の段差を均一に無くして、前後ユニットの平行度を常に安定して確保することができるカメラを提供することにある。
【００１５】
【課題を解決するための手段】
上記の目的を達成するため、本発明の請求項１に係るカメラボディは、カメラボディを、該カメラボディに設定される光軸の方向に沿って前側ユニットと後側ユニットとに分割して構成し、該前側ユニットと後側ユニットとが対向する面に設けられた当接面どうしを当接させて組み立てるカメラボディにおいて、
前記当接面のそれぞれを、前記光軸方向に直交する方向に対して傾斜した斜面とし、前記前側及び後側ユニットを相対的に移動可能としたことを特徴とする。
【００１６】
また、請求項２に係るカメラボディは、請求項１において、前記前側ユニットと後側ユニットとは螺合手段によって締結され、該螺合手段の締結力により前記前側ユニットと後側ユニットとを前記光軸に直交する方向に相対的に付勢することを特徴とする。
【００１７】
さらに、請求項３に係るカメラボディは、請求項１または２において、前記前側ユニットと後側ユニットの側面に連結部を配置し、該連結部を螺合手段によって前記前側ユニットと後側ユニットの少なくとも一方に締結することにより両ユニットを連結することを特徴とする。
【００１８】
さらに、請求項４に係るカメラボディは、請求項１乃至３のいずれか１項において、前記当接面の傾斜角度は、前記光軸方向に直交する方向に対して５度以上であることを特徴とする。
【００１９】
さらに、請求項５に係るカメラボディの組み立て方法は、カメラボディを、該カメラボディに設定される光軸方向に沿って前側ユニットと後側ユニットとに分割して構成し、該前側ユニットと後側ユニットとが対向する面に設けられた当接面どうしを当接して該当接面において螺合手段によって締結するとともに、前記前側ユニットと後側ユニットの側面に両ユニットを連結する連結部を配置し、該連結部を前記前側ユニットと後側ユニットの少なくとも一方に螺合手段により締結するカメラボディの組み立て方法において、
前記当接面のそれぞれは、前記螺合手段による締結により、前記光軸方向に直交する方向に前記前側及び後側ユニットを互いに付勢可能な斜面とし、
前記前側ユニットと後側ユニットの一方に前記連結部を固定し、
前記前側ユニットと後側ユニットを前記当接面で当接させて前記螺合手段で締結することによって前記連結部に対して前記前側ユニットと後側ユニットの他方を当接させ、
前記前側ユニットと後側ユニットの他方に対して前記螺合手段により前記連結部を締結することを特徴とする。
【００２０】
【発明の実施の形態】
以下、本発明の実施の形態に係るカメラボディ及びその組み立て方法を図面を参照しつつ説明する。
【００２１】
図１は、本発明の実施の形態に係るカメラボディの分解斜視図である。図２は、図１に示したカメラボディの組み立て時の模式的断面図である。図３は、図１に示したカメラボディの前側ユニットと後側ユニットの締結部の断面図である。
【００２２】
図１に示すように、カメラボディは、撮影レンズ装着のためのマウント４、シャッター（図示略）、及び絞り制御装置（図示略）等を備えた前側ユニット１と、撮影用フィルムを収納するパトローネ室、及びフィルム巻上げ装置（図示略）等を備えた後側ユニット２とに分割して構成してある。両ユニット１，２は、カメラボディに設定される光軸の方向に沿って前後に分割してあり、また、両ユニット１，２とも、夫々、合成樹脂成形により形成してある。さらに、マウント４は、複数のビス５により前側ユニット１に締結するようになっている。
【００２３】
これら両ユニット１，２を連結するため、前側ユニット１の背面側には、本例では、４個の当接面１Ｄが形成してあり、後側ユニット２の前面側には、本例では、４個の当接面１Ｄに夫々対向して当接する４個の当接面２Ｄが形成してある。これら両当接面１Ｄ，２Ｄは、図２，３に示すように光軸方向に直交する方向に対して５度以上傾斜しており、該当接面に設けられたネジ穴等を介してビス６により締結するようになっている。
【００２４】
後側ユニット２の下部にはカメラボディの補強も兼ねて三脚を取り付けるための金属製の三脚座３が取り付けられている。この三脚座３には、複数個の当接面１０が形成してあり、前側ユニット１の底面側には、複数個の当接面１０に対向して当接する複数個の当接面１１が形成してある。これら両当接面１０，１１は、該当接面に設けられたネジ穴等を介してビス７，８により締結するようになっている。
【００２５】
なお、本実施の形態では、三脚座３が両ユニット１，２を連結する働きをしているが、両ユニット１，２を連結する部材（連結部）は、三脚座３に限定されるものでなく、予め後側ユニット２に形成してある別の部材でもよく、また、予め前側ユニット１に形成してある部材でもよく、さらに、両ユニット１，２とは、別体のものであってもよい。
【００２６】
本実施の形態では、図２，３に示すように、前側ユニット１の当接面１Ｄと、後側ユニットの当接面２Ｄとは、光軸方向に直交する方向（本例では、上下方向）に対して傾斜した斜面に形成して、両ユニット１，２を光軸方向に直交する方向（本例では、上下方向）に対して相対的に移動可能にしている。
【００２７】
また、前側ユニット１と後側ユニット２とは、ビス６によって締結すると、傾斜した当接面にかかるビス６の締結力により、前側ユニット１と後側ユニット２とを前記光軸に直交する方向（本例では、上下方向）に相対的に付勢することができる。
【００２８】
以上のように構成したカメラボディは、以下のように組み立てる。
【００２９】
前側ユニット１の当接面１Ｄと、後側ユニット２の当接面２Ｄを当接して、ビス６により両当接面１Ｄ，２Ｄを締結する。
【００３０】
この時、両ユニット１，２の当接面１Ｄ，２Ｄは、それぞれ、光軸方向に直交する方向（本例では、上下方向）に対して傾斜した斜面に形成してあることから、作業者は、両ユニット１，２の当接面１Ｄ，２Ｄを相互に押し付けると、両ユニット１，２は、光軸方向に直交する方向（本例では、上下方向）に対して相対的に自然に移動してガタ寄せすることができる。
【００３１】
又は、両ユニット１，２の当接面１Ｄ，２Ｄは、それぞれ、光軸方向に直交する方向（本例では、上下方向）に対して傾斜した斜面に形成してあることから、作業者は、両ユニット１，２の当接面１Ｄ，２Ｄを相互に押し付けてビス６により締結すると、両ユニット１，２は、光軸方向に直交する方向（本例では、上下方向）に対して相対的に自然に付勢してガタ寄せすることができる。
【００３２】
従って、ガタ寄せ作業に、作業者個々の差が生じることが殆どなく、ガタ寄せ量を常に一定にすることができる。
【００３３】
このような締結・ガタ寄せ作業を終えた後、後側ユニット２の三脚座３の当接面１０と、前側ユニット１の底面側の当接面１１を当接して、両当接面１０，１１をビス７，８により締結する。
【００３４】
従って、この両ユニット１，２の連結部（三脚座３）においては、カメラ個体毎の段差を均一に無くして、マウント面とフィルム面の平行度を常に安定して確保することができる。
【００３５】
さらに、カメラ個体毎の段差を均一に無くしていることから、モールド型において、両ユニット１，２の当接面１Ｄ，２Ｄの寸法を補正し、又は、連結部（三脚座３）を段差に応じて補正して、平行度をより一層安定して確保することができる。
【００３６】
なお、本発明は、上述した実施の形態に限定されず、種々変形可能である。
【００３７】
【発明の効果】
以上説明したように、請求項１によれば、前側ユニットと後側ユニットとの当接面は、それぞれ、光軸方向に直交する方向に対して傾斜した斜面とし、光軸方向に互いに力を加えることにより前側及び後側ユニットを光軸方向に直交する方向に相対的に移動可能としてある。そのため、ガタ寄せ作業時、作業者が両ユニットの当接面を相互に押し付けると、両ユニットは、光軸方向に直交する方向に対して相対的に自然に移動してガタ寄せすることができる。そのため、ガタ寄せ作業に、作業者個々の差が生じることが殆どなく、ガタ寄せ量を常に一定にすることができる。
【００３８】
また、請求項２によれば、前側ユニットと後側ユニットとは螺合手段によって締結され、螺合手段の締結力により前側ユニットと後側ユニットとを光軸に直交する方向に相対的に付勢するように構成してある。そのため、ガタ寄せ作業時、作業者が両ユニットの当接面を相互に押し付けて螺合手段により締結すると、両ユニットは、光軸方向に直交する方向に対して相対的に自然に付勢してガタ寄せすることができる。そのため、ガタ寄せ作業に、作業者個々の差が生じることが殆どなく、ガタ寄せ量を常に一定にすることができる。
【００３９】
さらに、前側ユニットと後側ユニットの側面に連結部を配置し、該連結部を螺合手段によって前側ユニットと後側ユニットの少なくとも一方に締結することにより両ユニットを連結している。上記の請求項１又は２に記載のように、作業者個々の差が生じることが殆どなく、ガタ寄せ量を常に一定にしながら、ガタ寄せ作業を終えた後、連結部を螺合手段によって締結して、両ユニットを連結することができる。従って、連結部においては、カメラ個体毎の段差を均一に無くして、光軸に対する平行度を常に安定して確保することができる。
【００４０】
さらに、カメラ個体毎の段差を均一に無くしていることから、モールド型において、両ユニットの当接面の寸法を補正し、又は、連結部を段差に応じて補正して、平行度をより一層安定して確保することができる。
【００４１】
さらに、請求項４によれば、当接面の傾斜角度は、光軸方向に直交する方向に対して５度以上である。このような角度に設定してある場合には、両ユニットは、より自然に移動してガタ寄せすることができる。
【００４２】
さらに、請求項５によれば、当接面のそれぞれは、螺合手段による締結により、光軸方向に直交する方向に前記前側及び後側ユニットを互いに付勢可能な斜面とし、前側ユニットと後側ユニットの一方に連結部を固定し、前側ユニットと後側ユニットを当接面で当接させて螺合手段で締結することによって連結部に対して前側ユニットと後側ユニットの他方を当接させ、側ユニットと後側ユニットの他方に対して螺合手段により前記連結部を締結している。そのため、ガタ寄せ作業時、作業者が両ユニットの当接面を相互に押し付けて螺合手段により締結すると、両ユニットは、光軸方向に直交する方向に対して相対的に自然に付勢してガタ寄せすることができる。そのため、ガタ寄せ作業に、作業者個々の差が生じることが殆どなく、ガタ寄せ量を常に一定にすることができる。このように、連結部を螺合手段によって締結することによって均一なガタ寄せを行うことができ、両ユニットを連結することができる。従って、連結部においては、カメラ個体毎の段差を均一に無くして、マウント面とフィルム面との平行度を常に安定して確保することができる。
【００４３】
さらに、カメラ個体毎の段差を均一に無くしていることから、モールド型において、両ユニットの当接面の寸法を補正し、又は、連結部を段差に応じて補正して、平行度をより一層安定して確保することができる。
【図面の簡単な説明】
【図１】本発明の実施の形態に係るカメラボディの分解斜視図である。
【図２】図１に示したカメラボディの組み立て時の模式的断面図である。
【図３】図１に示したカメラボディの前側ユニットと後側ユニットの締結部の断面図である。
【図４】従来に係るメラボディの組み立て時の模式的断面図である。
【図５】従来に係るカメラボディの前側ユニットと後側ユニットの締結部の断面図である。
【符号の説明】
１　前側ユニット
１Ｄ　当接面
２　後側ユニット
２Ｄ　当接面
３　三脚座（連結部）
４　マウント
５　ビス
６　ビス（螺合手段）
７，８　ビス（螺合手段）
１０　当接面
１１　当接面
【図１】
2004109479.tif 000003
【図２】
2004109479.tif 000004
【図３】
2004109479.tif 000005
【図４】
2004109479.tif 000006
【図５】
2004109479.tif 000007